(57)【要約】【課題】  専用の外装箱を必要とせず、かつ不使用時には小さな収納スペースでも収納できる分解組立可能な扇風機を提供する。【解決手段】  ファン及び該ファンを駆動する電動機を格納する電動機ケース２０を有する扇風機のヘッド部と、電動機ケース２０を支持する支柱１２，１４と、前記支柱を立設する台座１０とを備え、電動機ケース２０と、支柱１２，１４と、台座１０とが相互に着脱可能に構成されることで、支柱の高さによって生じる無駄な空間を削減し、収納性を向上することができる。【選択図】図１
2015143514.tif 000002
【特許請求の範囲】
【請求項１】
ファン及び該ファンを駆動する電動機を格納する電動機ケースを有する扇風機のヘッド部と、前記電動機ケースとを支持する支柱と、前記支柱を立設する台座、とを備え、
前記電動機ケースと、前記支柱と、前記台座とが相互に着脱可能に接続できることを特徴とする扇風機。
【請求項２】
前記支柱は複数の支柱を着脱可能に接続したものであり、各支柱は、前記ヘッド部と前記台座に着脱可能に接続できることを特徴とする請求項１に記載の扇風機。
【請求項３】
前記支柱は、長さの異なる複数の支柱を着脱可能に接続したものであることを特徴とする請求項１又は２に記載の扇風機。
【請求項４】
前記複数の支柱は、筒体の一端に小径の連結ロッド部を有し、他端に連結筒部を有し、前記連結ロッド部は、その周面に軸方向に沿った複数の凸部を有することを特徴とする請求項１〜３の何れかに記載の扇風機。
【請求項５】
前記複数の支柱は、筒体の一端に小径の連結ロッド部を有し、他端に連結筒部を有し、前記連結ロッド部は、その端面に通気孔を有することを特徴とする請求項１〜３の何れかに記載の扇風機。
【請求項６】
前記連結ロッド部は、その端面にコネクタ部と係合穴とが形成され、
前記連結筒部は、前記コネクタ部に対応した位置に設けられた電極と、前記係合穴に対応した位置に設けられた係合ピンとを有し、
前記コネクタ部の電極と前記連結筒部の電極が前記支柱内の配線で接続されていることを特徴とする請求項４又は５に記載の扇風機。
【請求項７】
前記電動機ケースに、前記支柱との接続部を被冠するコネクタカバーを着脱可能に装着したことを特徴とする請求項１〜６の何れかに記載の扇風機。
【発明の詳細な説明】
【技術分野】
【０００１】
本発明は、分解組立可能な扇風機に関する。
【背景技術】
【０００２】
扇風機は、基本的に台座から延びる支柱と支柱の上に設置される電動機ケース、ファンガードから構成されている。このような扇風機を使用状態のままで外装箱内に収納すると、台座とファンガードとを接続する支柱部分が長いため、ファンガードと台座との間に無駄な空間が生じて、収納した外装箱の大きさが大きくなり、効率的な運搬が困難になる。
【０００３】
また、冬季などの使用頻度の低い時期には、扇風機を物置等に収納することになるが、収納時においても運搬時と同様に無駄な空間が生じ、物置等の限られた収納スペースを有効に活用できずに、その他の収納物を置くのに邪魔になるという不便さが生じる。
【０００４】
このような事情から、無駄なスペースを減らすための工夫が色々と提案されている。
例えば、特許文献１には、ファンガードとファンを本体から分解し、本体はネック部からモータ部を曲げるとともに伸縮可能な支柱を縮めた状態で、緩衝体を利用した外箱に梱包される扇風機が開示されている。
【０００５】
これによれば、扇風機頭部をネック部より曲げて収納して収納時の高さを低くすることにより、外装箱の高さを低くできることが可能となり運搬が容易になる。
【先行技術文献】
【特許文献】
【０００６】
【特許文献１】特開平６−３１２７６７号公報
【発明の概要】
【発明が解決しようとする課題】
【０００７】
しかし、上記の外装箱を用いて扇風機を収納するとなると、外装箱を保管しておく必要があり、扇風機を使用する時は空の外装箱を収納しておくスペースが必要となる。また、扇風機のモータ部を折り曲げ、支柱を縮めたとしても支柱の長さは構造上２分の１までしか縮めることができない。したがって収納サイズをコンパクトにするにも限界があり、外装箱を立てた状態で保管しようとすると高さ方向に余裕のある収納スペースを使用する必要があり、外装箱を寝かせた状態で保管しようとすると、広範囲のスペースを必要とする。
本発明は、以上のような課題を解決するため鋭意検討した結果なされたものであり、複数のパーツに分解組立が可能であり、かつ不使用時には小さな収納スペースでも収納可能な扇風機を提供するものである。
【課題を解決するための手段】
【０００８】
上記課題を解決するため、請求項１に記載の発明にあたっては、ファン及び該ファンを駆動する電動機を格納する電動機ケースを有する扇風機のヘッド部と、前記電動機ケースを支持する支柱と、前記支柱を立設する台座とを備え、前記電動機ケースと、前記支柱と、前記台座とが相互に着脱可能に接続できることを特徴とするものである。
【０００９】
請求項２に記載の発明にあたっては、前記支柱は複数の支柱を着脱可能に接続したものであり、各支柱は、前記ヘッド部と前記台座に着脱可能に接続できることを特徴とするものである。
【００１０】
請求項３に記載の発明にあたっては、前記支柱は、長さの異なる複数の支柱を着脱可能に接続したものであることを特徴とするものである。
【００１１】
請求項４に記載の発明にあたっては、前記複数の支柱は、筒体の一端に小径の連結ロッド部を有し、他端に連結筒部を有し、前記連結ロッド部は、その周面に軸方向に沿った複数の凸部を有することを特徴とするものである。
【００１２】
請求項５に記載の発明にあたっては、前記複数の支柱は、筒体の一端に小径の連結ロッド部を有し、他端に連結筒部を有し、前記連結ロッド部は、その端面に通気孔を有することを特徴とするものである。
【００１３】
請求項６に記載の発明にあたっては、前記連結ロッド部は、その端面にコネクタ部と係合穴とが形成され、前記連結筒部は、前記コネクタ部に対応した位置に設けられた電極と、前記係合穴に対応した位置に設けられた係合ピンとを内部に有し、前記コネクタ部の電極と前記連結筒部の電極が前記支柱内の配線で接続されていることを特徴とするものである。
【００１４】
請求項７に記載の発明にあたっては、前記電動機ケースに、前記支柱との接続部を被冠するコネクタカバーを着脱可能に装着したことを特徴とするものである。
【発明の効果】
【００１５】
請求項１に記載の発明によれば、扇風機のヘッド部と、支柱と、台座とを分解して収納することができ、支柱によって発生する無駄なスペースを削減でき、扇風機をコンパクトに収納することが可能となる。
【００１６】
請求項２、３に記載の発明によれば、台座と電動機ケースとの間に分割可能な支柱を設けることで、扇風機の高さを調節することが可能となる。
【００１７】
請求項４に記載の発明によれば、一方の支柱の連結ロッド部と他方の支柱の連結筒部を連結することができ、連結ロッド部の複数の凸部が連通筒部の内周面に接した状態で２つの支柱を連結できるから、２つの支柱の結合状態を硬く維持することができる。凸部と凸部の間にできる凹部は空気が抜ける風路になるため、複数の凸部が連通筒部の内周面と密接に接していても、連結ロッド部の抜き差しが容易にできる。
【００１８】
請求項５に記載の発明によれば、一方の支柱の連結ロッド部と他方の支柱の連結筒部を連結することができ、連結ロッド部の複数の凸部が連通筒部の内周面に接した状態で２つの支柱を連結できるから、２つの支柱の結合状態を硬く維持することができる。また、筒体内の空気が通気孔を通じて移動可能になるので、連結ロッド部を連結筒部に差し込む時には、連結ロッド部と連結筒部との間に挟まれて圧迫された空気が通気孔を通じて筒体内に流れるので、圧縮空気による抵抗が無くなり、連結ロッド部の差し込みが容易にできる。逆に、連結ロッド部を抜き出す時には、筒体内の空気が通気孔を通じて連結ロッド部と連結筒部との間に流れ込むので、連結ロッド部と連結筒部で挟まれた空間の負圧が緩和され、連結ロッド部を連結筒部から容易に抜き取ることができる。
【００１９】
請求項６に記載の発明によれば、支柱内の配線を通じて台座とヘッド部との間を電気的に接続することが可能になり、電動機を駆動する駆動電圧や制御信号のやり取りを、台座とヘッド部との間で行うことができる。
【００２０】
請求項７に記載の発明によれば、使用されない接続部にカバーをはめ込むことによって、ゴミなどの進入を防ぎ、誤動作などの故障の確率を低減させることが可能となる。
【図面の簡単な説明】
【００２１】
【図１】本発明の第１の実施形態に係る扇風機の使用例１における全体斜視図
【図２】本発明の第１の実施形態に係る扇風機の全体背面図
【図３】本発明の第１の実施形態に係る扇風機の拡大斜視図
【図４】本発明の第１の実施形態に係る扇風機の使用例２における全体斜視図
【図５】本発明の第１の実施形態に係る扇風機の使用例３における全体斜視図
【図６】本発明の第１の実施形態に係る扇風機の使用例４における全体斜視図
【図７】本発明の第１の実施形態に係る扇風機の拡大斜視図
【図８】本発明の第１の実施形態に係る扇風機の収納時における全体斜視図
【図９】本発明の第１の実施形態に係る扇風機の拡大斜視図
【図１０】本発明の第１の実施形態に係る扇風機に用いる第１の支柱の拡大斜視図
【図１１】本発明の第１の実施形態に係る扇風機に用いる第２の支柱の拡大斜視図
【図１２】本発明の第１の変形例に係る扇風機の後側ファンガードの部分背面図
【図１３】本発明の第２の変形例に係る扇風機の後側ファンガードの部分背面図
【図１４】本発明の第１の実施形態に係る前側ファンガードを内側から見た拡大斜視図
【図１５】本発明の第２の変形例に係る扇風機の部分組立図
【図１６】本発明の第１の実施形態に係るコネクタカバーの内部拡大斜視図
【図１７】本発明の第１の実施形態に係る変形コネクタカバーの拡大斜視図
【図１８】本発明の第１の実施形態に係る変形コネクタカバーの内部拡大斜視図
【発明を実施するための形態】
【００２２】
以下に本発明の好適な実施の形態について、図面を参照しながら説明する。なお本実施形態は一例であり、これに限定されるものではない。
【００２３】
以下、本発明の一実施形態に係る扇風機について、図面を参照しながら説明する。まず、図１、図２、図３を用いて扇風機の全体構成を説明する。図１は、本発明の一実施形態に係る扇風機を組み立てた状態の全体斜視図であり、図２は同実施形態の扇風機を背面から見た全体背面図であり、図３は同実施形態の扇風機の頭部を示す部分拡大斜視図である。
【００２４】
図１は、全てのパーツを用いて組み立てた状態（第１の使用状態）の扇風機１００を示しており、扇風機１００は、台座１０、第１の支柱１２、第２の支柱１４、前側ファンガード１６、後側ファンガード１８、電動機ケース２０から構成される。そして、台座１０の支柱部１０ｂに第１の支柱１２が連結され、更に第２の支柱１４を介して電動機ケース２０に連結されている。
【００２５】
図２に示すように、扇風機１００の背面には、第１のボタン１０ａ、第２のボタン１２ａ、第３のボタン１４ａが設けられており、台座１０の支柱部１０ｂに設けられた第１のボタン１０ａは、台座１０の支柱部１０ｂと第１の支柱１２の連結を解除するためのものであり、第２のボタン１２ａは第１の支柱１２と第２の支柱１４の連結を解除するためのものであり、第３のボタン１４ａは第２の支柱１４とケース接続部２０ｂの連結を解除するためのものである。なお、図２は、第１のボタン１０ａ、第２のボタン１２a、第３のボタン１４aを扇風機１００の後側に設けた事例であるが、これらのボタンを前面や側面に設けても構わない。
【００２６】
図３に示すように、電動機ケース２０の後側には、コネクタカバー２４の格納部２０ｃが形成されており、該格納部２０ｃにコネクタカバー２４が取り外し可能に装着されている。そして、格納部２０ｃは、扇風機１００を後述するように各パーツを分解して収納する際に台座１０の支柱部１０ｂと接続されるものなので、ケース接続部２０ｂとは異なり電動機とは電気的な接続はしなくても良い。このような構成にすることにより、扇風機１００を格納した際に誤って操作パネル１０ｃを操作しても、ファンが回転することを防止している。
【００２７】
台座１０には第１の支柱１２が接続される支柱部１０ｂが立設されており、第１の支柱１２及び第２の支柱１４を介して扇風機１００のヘッド部を構成するファン５０（図１５参照）、前側ファンガード１６、後側ファンガード１８、電動機ケース２０を支えるものである。台座１０には扇風機１００の電源、風量調節、首振り動作を制御するための操作パネル１０ｃが設けられる。
【００２８】
台座１０は、円形に形成されているがこれに限定されるものではなく、扇風機１００の起立姿勢を保つ安定性を確保できるのであれば、多角形でも長方形でもどのような形状でも良い。
【００２９】
第１の支柱１２、第２の支柱１４は、分割可能に構成された支柱である。第１の支柱１２の長さは、第２の支柱１４と異なるように構成される。各支柱１２,１４の一端部には図８に示すように小径の連結ロッド部１２ｂ，１４ｂ（コネクタ）が形成されており、他端部はこの連結ロッド部１２ｂ，１４ｂが嵌挿可能な筒部となっている。また、この実施形態では、台座１０の支柱部１０ｂに小径の連結ロッド部（不図示）が形成され、電動機ケース２０には、ケース接続部２０ｂ（図８）が設けられており、支柱１２,１４の連結ロッド部１２ｂ，１４ｂが嵌挿可能になっている。なお、各支柱１２,１４、座台支柱部１０及びケース接続部２０ｂには、後述するように電極等が備えられており、互いに接続したときに通電するようになっている。
【００３０】
これにより、台座１０の支柱部１０ｂ、支柱１２，１４、ケース接続部２０ｂは相互に着脱可能に接続できるようになっており、支柱１２，１４を接続する順番を入れ替えても構わないし、どちらかの支柱のみを使用しても接続可能である。したがって、２本の支柱の長さが異なっていると、使用する支柱によって高さの調節が可能となる。例えば、図４に示すように、長さの長い第１の支柱１２を台座１０の支柱部１０ｂに連結させて、扇風機１００の高さを、支柱１２，１４を２本とも用いる場合に比べて低く設定することが可能である。また、図５に示すように、長さの短い第２の支柱１４を台座１０の支柱部１０ｂに連結させて、扇風機１００の高さを更に低く設定することができる。
【００３１】
そして、図６に示すように、第１、第２の支柱１２，１４を用いないで、台座１０の支柱部１０ｂとケース接続部２０ｂを直接接続すると、扇風機１００の高さを最も低くすることもできる。この場合、扇風機１００のヘッド部を上向きにすれば、扇風機１００は床付近に漂う冷たい空気を室内上部に吹き上げて、部屋全体の空気を掻き混ぜることができる。特に、夏季にエアコン（不図示）を用いて部屋全体を冷やす動作を行なう時に、部屋の空気を掻き混ぜて全体の空気を均一に冷やす動作に好適である。
【００３２】
なお、台座１０の支柱部１０ｂ、支柱１２，１４、ケース接続部２０ｂを相互に着脱可能に接続できるようにするための接続手段は、上述した実施形態のような嵌め込み式の構成に限定されるものではなく、例えば螺合式、スリーブ継手式、等を採用しても構わない。
【００３３】
次に、図１０及び図１１を用いて第１の実施形態に係る扇風機に用いる第１の支柱及び第２の支柱について詳細に説明する。図１０は第１の支柱の構成を示す拡大斜視図であり、図１１は第２の支柱の構成を示す拡大斜視図である。
【００３４】
図１０に示すように、第１の支柱１２は、樹脂で成形された円筒状の筒体２９で構成され、その一端が小径の連結ロッド部１２ｂとなっており、連結ロッド部１２ｂの周面には複数の凸部１２ｃが筒体２９の軸方向に形成されている。更に、筒体２９の一端にはロック機構３１ａと、そのロック機構３１ａを操作する第２のボタン１２ａが設けられており、連結ロッド部１２ｂの端面にはコネクタ部（不図示）が設けられている。そして、筒体２９の他端は端部から入り込んだ位置に仕切板３５が固定されており、その仕切板３５の所定位置に係合ピン３３ａ，３３ｂが固定されている。更に、仕切板３５の所定位置に電極３４ａ，３４ｂ，３４ｃが設けられており、仕切板３５の周縁部にロック機構３１ｂが構成されている。そして、コネクタ部の電極と電極３４ａ，３４ｂが支柱内の配線によって接続されている。なお、３４ｃは本例では使用していない電極である。
【００３５】
なお、係合ピン３３ａ，３３ｂのピン外径を少し異ならせている。また支柱１２の仕切板３５の中心Ｃ１を通る直線に対してそれら２つが1つの半円側に偏在している。
【００３６】
図１１に示すように、第２の支柱１４は、第１の支柱１２と同じように構成され、支柱の長さ以外の構成は同様である。即ち、第２の支柱１４は、樹脂で成形された円筒状の筒体３０で構成され、その一端が小径の連結ロッド部１４ｂとなっており、連結ロッド部１４ｂの周面には複数の凸部１４ｃが筒体３０の軸方向に形成されている。更に、筒体３０の一端にはロック機構３８と、そのロック機構３８を操作する第３のボタン１４ａが設けられており、連結ロッド部１４ｂの端面にはコネクタ部３６が設けられている。そして、筒体３０の他端には端部から入り込んだ位置に仕切板３５（図１０参照）が固定されており、その仕切板３５の所定位置に係合ピン３９が固定されている。また、仕切板３５の所定位置に電極が設けられており、仕切板３５の周縁部にロック機構（不図示）が構成されている。そして、コネクタ部３６の電極（不図示）と連結筒部の電極（不図示）が支柱１４内の配線によって接続されている。なお、コネクタ部３６には、支柱１２の電極３４ａ，３４ｂと接触する電極３６ａ，３６ｂが設けられている。
【００３７】
第1の支柱１２の連結筒部１２ａ内に第２の支柱１４の連結ロッド部１４ｂを係合する場合、連結ロッド部１４ｂの周面に在る複数の凸部１４ｃが連結筒部１２ａの内周面に接した状態で係合するため、支柱１２，１４同士の連結にぐらつきは生じない。また、凸部と凸部の間に在る凹部が連結筒部１２ａの内周面との間に空間を形成し、その空間は空気が抜ける風路になるため、複数の凸部１４ｃが連通筒部１２ａの内周面と密接に接していても、連結ロッド部の抜き差しが容易にできる。なお、支柱１４には、支柱１２の係合ピン３３ａ，３３ｂが挿嵌されるピン受部３２ａ、３２ｂが設けられているが、それら内径は異なり、また支柱１４の中心Ｃ２を通る直線に対してそれらは1つの半円側に偏在しているため、支柱同士の連結箇所が一致させないと嵌合できない。このため支柱１２,１４を接続したとき、電極３４ａ，３４ｂ及び電極３６ａ，３６ｂ同士が確実に接触することになる。
【００３８】
連結ロッド部１４ｂを連結筒部１２ａに素早く嵌め込む時には、連結筒部１２ａと連結ロッド部１４ｂとの間に在る空気が凸部と凸部の間の風路を通じて抜け出す速度が間に合わずに、空気圧が高まって抵抗が働き、連結ロッド部１４ｂを容易に嵌め込めない現象が起きる。逆に、連結ロッド部１４ｂを連結筒部１２ａから抜き取る時、連結筒部１２ａと連結ロッド部１４ｂとの間の空間における空気圧が低下して、吸引力による抵抗が働き、連結ロッド部１４ｂを素早く抜けないという現象が起こりうる。
【００３９】
しかし、連結ロッド部１４ｂの端面に通気孔３７を形成しているため、連結ロッド部１４ｂを連結筒部１２ａから抜く時に、連結ロッド部１４ｂと連結筒部１２ａとの空間の空気圧が下がれば、筒体３０内の空気が移動して空気圧の低下を抑制するから、連結ロッド部１４ｂを連結筒部１２ａから容易に引き抜くことができる。逆に、連結ロッド部１４ｂを連結筒部１２ａに嵌め込む時、連結ロッド部１４ｂと連結筒部１２ａとの空間が狭くなるに従って、その空間の気圧が高まるが、空気が通気孔３７を通って筒体３０内に送られるから、気圧が実質的に上昇せず、殆ど抵抗無く連結ロッド部１４ｂを連結筒部１２ａに容易に嵌め込むことができる。
【００４０】
次に、図１〜図３に図示された前側ファンガード１６及び後側ファンガード１８は、回転するファン５０から使用者を保護することを主目的としている。但し、前側ファンガード１６のリブは、渦巻き状に構成される。この構成によって気流が渦巻状に吹出すことになり、より遠くへ送風させる機能を有している。また、図１４に示すように前側ファンガード１６の外周内面側にマグネットを設けている。詳細には、前側ファンガード１６の外周辺にマグネット収納部１６ｂが４箇所設けられており、その中にマグネット５２が挿入固定されている。さらに、ファン５０により発生させられた気流が前側ファンガード１６や後側ファンガード１８の外周辺空間に滞留してしまい、送風力が落ちることを防止するため、前側ファンガード１６や後側ファンガード１８（１９、２１）の外周部にファン５０の回転方向に対して垂直なリブ１６ｄ（図１４参照）を数か所設けることで、前方への送風能力を高めている。
【００４１】
図３、図７、図９に示すように、後側ファンガード１８は、電動機ケース２０に接するように設けられる。すなわち、電動機ケース２０の前端側には略ラッパ状に形成された取付板２６が固定されており、該取付板２６に後側ファンガード１８が取り付けられている。後側ファンガード１８も前側ファンガード１６と同様にリブ１８ａが渦巻状に形成される。より遠くへ送風させる機能は、主に前側ファンガード１６の渦巻き形状によって発揮されるが、後側ファンガード１８は、前側ファンガード１６と比べて効果が少ないが、より効果を高めるために、渦巻き形状を採用している。なお、取付板２６の周方向には複数のスリット２６ａが開口されており、このスリット２６ａから空気が吸い込まれるようになっている。
【００４２】
次に、図１２は第１の変形例の扇風機の後側ファンガードの部分背面図であり、同図を用いて第１の変形例について詳細に説明する。同図において、後側ファンガード１９の外枠４５は円環状をしており、電動機ケース２０から放射状に延びる複数のリブ４０ａ，４０ｂに連結されて支えられている。外枠４５と同心円状と成る円環状のリブ４１が複数のリブ４０ａ，４０ｂ等を連結している。放射状の複数のリブ４０ａ，４０ｂは所定の間隔で電動機ケース２０の周囲に配置しており、それらの中間に電動機ケース２０と円環状のリブ４１を連結する短いリブ４０ｃを１本設けており、円環状のリブ４１と外枠４５の間を連結する短いリブ４０ｄを２本設けている。以上の組合せ条件で電動機ケース２０の周囲を等間隔に配置した構成になっている。
【００４３】
第１の変形例は、放射状のリブ４０ａ，４０ｂ，４０ｃ，４０ｄを用いて後側ファンガード１９を構成しているので、後側ファンガード１８で上述した実施形態のように渦巻きの気流を起こさないが、前側ファンガード１６による渦巻き気流だけでも、気流を遠くへ飛ばす働きは十分に発揮できる。第１の変形例は、渦巻き気流は実施形態を比べて幾分弱くなるが、電動機ケース２０から放射状に延びたリブ４０ａ，４０ｂと、短いリブ４０ｃ，４０ｄで補強されているため、後側ファンガード１９の形状が変形しにくいという利点がある。
【００４４】
図１５のように、後側ファンガード１９の４箇所に設けた金属板収納部１９ｂに、前側ファンガード１６のマグネット５２が磁着する金属板５４が挿入固定されている。この状態で図１４に示す前側ファンガード１６を装着する際には、前側ファンガード１６の位置決めリブ１６ａを後側ファンガード１９の位置決め部１９ａに挿入したあと、前側ファンガード１６の爪部１６ｃを後側ファンガード１９の爪部受部１９ｃに嵌め込むことで、マグネット５２の力も借りて簡単に装着できるとともに、前側ファンガード１６自体が取り外れることがない。なお、本例では後側ファンガード１９を用いた組立状況で説明したが、他のファンガードであっても同様である。
【００４５】
次に、図１３は第２の変形例の扇風機の後側ファンガードの部分背面図であり、同図を用いて第２の変形例について詳細に説明する。同図において、後側ファンガード２１の外枠４５は円環状をしており、電動機ケース２０から放射状に延びる複数のリブ４４ａ，４４ｂに連結されて支えられている。外枠４５と同心円状と成る円環状のリブ４２，４３が複数のリブ４０ａ，４０ｂ等を連結している。放射状の複数のリブ４４ａ，４４ｂは所定の間隔で電動機ケース２０の周囲に配置しており、それらの中間に電動機ケース２０と円環状のリブ４２との間を連結する短いリブ４０ｃを１本設けており、円環状のリブ４２と４３との間を連結する短いリブ４４ｄを２本設けており、円環状のリブ４３と外枠４５の間を連結する短いリブ４４ｅを３本設けている。短いリブ４４ｃ〜４４ｅを以上の組合せ条件で電動機ケース２０の周囲に等間隔に配置した構成になっている。
【００４６】
第２の変形例は、第１の変形例と同様に後側ファンガード２１で渦巻き気流を発生しない。第１の変形例よりも短いリブ４４ｃ〜４４ｅと、複数の円環状のリブ４２，４３とを用いて補強しているため、後側ファンガード２１の形状が第１の変形例に比べてより変形しにくいという利点がある。
【００４７】
電動機ケース２０は、電動機（不図示）が内蔵されている。その電動機は、電力供給によってファン５０を回転させるだけではなく、首振り動作のための駆動源として使用することも可能である。
【００４８】
図９に示すように、電動機ケース２０の上側には把手２０ａが設けられる。この把手２０ａは、扇風機１００を持ち運ぶときに用いる。また、把手２０ａは、上部が開いたＵ字状の凹部が形成されており、この凹部にリモコン２２を格納することが可能である。また、リモコン２２の底面は凹部への嵌合を良くするためにＣ面加工されている。把手２０ａは電動機ケース２０の長手方向に沿って形成されているが、長手方向と交差するように形成されていても良い。
【００４９】
リモコン２２は、台座１０上の操作パネル１０ｂに替わってある程度距離が離れた所から扇風機１００を操作するものである。リモコン２２には、操作パネル１０ｃと同様の操作をすることが可能であり、リモコン２２上の押しボタンを押下することでリモコン２２の送信部から制御信号を台座１０上に設けられる受光部に送信される。
【００５０】
リモコン２２には、電源スイッチ、風量調整スイッチ、首振り動作スイッチ、タイマスイッチなどが設けられる。押しボタンの表面には凹部が設けられていて指の腹にフィットする形状にすることで、スイッチを押下する時の押し心地が良くなる。
さらに、押しボタンの上面は誤操作を防ぐためリモコン２２の上面より低い位置に設けられる。こうすることにより、意図的にスイッチを押下する必要があるので、持った時に誤ってリモコンのスイッチを押下されることを防ぐ。
【００５１】
リモコン２２の両側面には凹部２２ａが設けられ、把手２０ａの対応する位置には凸部２０ｄが設けられる。こうすることによって、リモコン２２を把手２０ａ内に格納するときに、一定の位置でリモコン２２を固定することが可能となり、さらに簡単にリモコンが把手２０ａから外れないように保持することが可能となる。
【００５２】
リモコン２２は不使用時には把手２０ａ内に格納される。このとき、把手２０ａの凹部は、その側壁の高さよりリモコン２２の上面が低い位置になるように形成する。前述のように押しボタンは、リモコン２２上面よりも低い位置に設けられるため、リモコン２２を把手２０ａ内に格納した時に把手２０ａをもって扇風機を移動したとしても、誤ってリモコン２２の押しボタンが押されることを防ぐことができる。
【００５３】
またリモコン２２の押しボタンは、リモコン２２上面より飛び出た凸型の形状でもよいが、この場合、把手２０ａの凹部の側壁の高さをリモコン２２上の押しボタンの上面より高くすることで、前述と同様の効果を得ることができる。
【００５４】
次に使用状態について図４、図５、図６を用いて説明する。
図４は、台座１０と電動機ケース２０とを第１の支柱１２のみで接続している状態（第２の使用状態）である。図５は、台座１０と電動機ケース２０とを第２の支柱１４のみで接続している状態（第３の使用状態）である。図６は台座１０と電動機ケース２０とを直接接続している状態（第４の使用状態）である。
【００５５】
第１の支柱１２と第２の支柱１４の長さについては、第１の支柱１２＞第２の支柱１４の関係にあるため、それぞれの使用状態での高さは、第１の使用状態＞第２の使用状態＞第３の使用状態＞第４の使用状態の関係となっている。
【００５６】
次に図８を用いて扇風機１００の収納時について説明する。本発明に係わる扇風機１０ ０は収納時には電動機ケース２０の格納部２０ｃからコネクタカバー２４を取り外し、電動機ケース２０の格納部２０ｃに台座１０の支柱部１０ｂに差し込む。なお、コネクタカバー２４には指押さえ部２４ａ（図９参照）を設けているため、取り外しが容易である。取り出したコネクタカバー２４は、扇風機を収納するときには支柱が接続される接続部２０ｂに取り付けられる。こうすることで、２０ｂの接続部の係合ピン３３ａ、３３ｂがむき出しになったままではなくコネクタカバー２４で保護されるので、２０ｂの接続部をゴミや水分などから保護することが可能となり、誤動作などの故障の確率を低減することが可能となる。なお、図１６はコネクタカバー２４の内部を示したもので、係合ピン受穴２４ｂ１、２４ｂ２が設けられている。また、係合ピン受穴２４ｂ１、２４ｂ２の大きさは、係合ピン３３ａ、３３ｂの外径の違いに合せて異なるため、コネクタカバー２４を接続部２０ｂに取り付ける際には、挿入の向きに注意する必要がある。
【００５７】
図１７、図１８は、係合ピン３３ａ、３３ｂをスムーズに嵌合しやすくするための変形コネクタカバー２５を示したものである。具体的には、筒状の外周にＵ字状の凹部２５ｃを２個所設け、凹部２５ｃの底部側に、２つの係合ピン受部２５ｂを設けている。そのため、係合ピン３３ａ、３３ｂが挿入される位置関係を確認できて取付け時の方向間違いをなくすことができる。
【００５８】
このとき、第１の支柱１２と第２の支柱１４は分解された状態で例えば台座１０上などに置かれた状態で収納される。
【００５９】
このように収納することによって、従来の支柱が伸縮自在な構成の扇風機よりも高さを低く抑えることが可能となる。また、台座１０の直径とファンガードの直径がほぼ同じであれば、扇風機収納時は円筒に近い形状で収納されるので、収納スペースに無駄な空間が従来のものよりも減少する。
【００６０】
なお、本発明は、上述した実施形態に限定されるものではなく、本発明の要旨を変えない範囲において、種々の変更、改変等が可能である。
【符号の説明】
【００６１】
１００  扇風機
１０  台座
１０ａ、１２ａ、１４ａ  解除ボタン
１０ｂ  台座支柱部
１０ｃ  操作パネル
１２  第１の支柱
１２ｂ  連結ロッド部
１４  第２の支柱
１４ｂ  連結ロッド部
１６  前側ファンガード
１６ａ  位置決めリブ
１６ｂ  マグネット収納部
１６ｃ  爪部
１６ｄ  リブ
１８、１９、２１  後側ファンガード
１８ａ  リブ
１９ａ  位置決め部
１９ｂ  金属板収納部
１９ｃ  爪部受部
２０  電動機ケース
２０ａ  把手
２０ｂ  ケース接続部
２０ｃ  格納部
２０ｄ  凸部
２２  リモコン
２２ａ  凹部
２４、２５  コネクタカバー
２４ａ、２５ａ  指押さえ部
２６  取付板
２６ａ  スリット
３５  仕切板
３６  コネクタ部
３７  通気孔
５０  ファン
５２  マグネット
５４  金属板
【図１】
2015143514.tif 000003
【図２】
2015143514.tif 000004
【図３】
2015143514.tif 000005
【図４】
2015143514.tif 000006
【図５】
2015143514.tif 000007
【図６】
2015143514.tif 000008
【図７】
2015143514.tif 000009
【図８】
2015143514.tif 000010
【図９】
2015143514.tif 000011
【図１０】
2015143514.tif 000012
【図１１】
2015143514.tif 000013
【図１２】
2015143514.tif 000014
【図１３】
2015143514.tif 000015
【図１４】
2015143514.tif 000016
【図１５】
2015143514.tif 000017
【図１６】
2015143514.tif 000018
【図１７】
2015143514.tif 000019
【図１８】
2015143514.tif 000020
【手続補正書】
【提出日】平成26年9月12日(2014.9.12)
【手続補正１】
【補正対象書類名】特許請求の範囲
【補正対象項目名】全文
【補正方法】変更
【補正の内容】
【特許請求の範囲】
【請求項１】
ファン及び該ファンを駆動する電動機を格納する電動機ケースを有する扇風機のヘッド部と、前記電動機ケースを支持する支柱と、前記支柱を立設する支柱部を有する台座と、を備え、前記支柱が、前記電動機ケースと前記台座の前記支柱部から取り外し可能となっている扇風機において、
前記電動機ケースに、扇風機の使用時に前記支柱と接続するための第１の接続部と、扇風機の分解収納時に前記ファンを上向き状態にして前記台座の前記支柱部と接続するための第２の接続部を設けたことを特徴とする扇風機。
【請求項２】
前記第２の接続部は、前記電動機ケースの後側に設けられていることを特徴とする請求項１に記載の扇風機。
【請求項３】
前記第２の接続部に、扇風機の分解収納時に、前記第１の接続部を被冠するためのコネクタカバーが取り外し可能に装着されていることを特徴とする請求項１又は２に記載の扇風機。
【請求項４】
前記電動機ケースの前記第２の接続部に前記座台の前記支柱部が接続された状態で、取り外した前記支柱が、前記座台と前記電動ケースの間に横置き状態で収まるスペースを有していることを特徴とする請求項１〜３のいずれかに記載の扇風機。
【請求項５】
前記支柱は、長さの異なる複数の支柱を着脱可能に接続したものであることを特徴とする請求項１〜４のいずれかに記載の扇風機。
【請求項６】
前記複数の支柱は、筒体の一端に小径の連結ロッド部を有し、他端に連結筒部を有し、前記連結ロッド部は、その端面に通気孔を有することを特徴とする請求項５に記載の扇風機。
【請求項７】
前記連結ロッド部は、その端面にコネクタ部と係合穴とが形成され、
前記連結筒部は、前記コネクタ部に対応した位置に設けられた電極と、前記係合穴に対応した位置に設けられた係合ピンとを有し、
前記コネクタ部の電極と前記連結筒部の電極が前記支柱内の配線で接続されていることを特徴とする請求項６に記載の扇風機。
【手続補正２】
【補正対象書類名】明細書
【補正対象項目名】全文
【補正方法】変更
【補正の内容】
【発明の詳細な説明】
【技術分野】
【０００１】
本発明は、分解組立可能な扇風機に関する。
【背景技術】
【０００２】
扇風機は、基本的に台座から延びる支柱と支柱の上に設置される電動機ケース、ファンガードから構成されている。このような扇風機を使用状態のままで外装箱内に収納すると、台座とファンガードとを接続する支柱部分が長いため、ファンガードと台座との間に無駄な空間が生じて、収納した外装箱の大きさが大きくなり、効率的な運搬が困難になる。
【０００３】
また、冬季などの使用頻度の低い時期には、扇風機を物置等に収納することになるが、収納時においても運搬時と同様に無駄な空間が生じ、物置等の限られた収納スペースを有効に活用できずに、その他の収納物を置くのに邪魔になるという不便さが生じる。
【０００４】
このような事情から、無駄なスペースを減らすための工夫が色々と提案されている。
例えば、特許文献１には、ファンガードとファンを本体から分解し、本体はネック部からモータ部を曲げるとともに伸縮可能な支柱を縮めた状態で、緩衝体を利用した外箱に梱包される扇風機が開示されている。
【０００５】
これによれば、扇風機頭部をネック部より曲げて収納して収納時の高さを低くすることにより、外装箱の高さを低くできることが可能となり運搬が容易になる。
【先行技術文献】
【特許文献】
【０００６】
【特許文献１】特開平６−３１２７６７号公報
【発明の概要】
【発明が解決しようとする課題】
【０００７】
しかし、上記の外装箱を用いて扇風機を収納するとなると、外装箱を保管しておく必要があり、扇風機を使用する時は空の外装箱を収納しておくスペースが必要となる。また、扇風機のモータ部を折り曲げ、支柱を縮めたとしても支柱の長さは構造上２分の１までしか縮めることができない。したがって収納サイズをコンパクトにするにも限界があり、外装箱を立てた状態で保管しようとすると高さ方向に余裕のある収納スペースを使用する必要があり、外装箱を寝かせた状態で保管しようとすると、広範囲のスペースを必要とする。
本発明は、以上のような課題を解決するため鋭意検討した結果なされたものであり、複数のパーツに分解組立が可能であり、かつ不使用時には小さな収納スペースでも収納可能な扇風機を提供するものである。
【課題を解決するための手段】
【０００８】
上記課題を解決するため、請求項１に記載の発明にあっては、ファン及び該ファンを駆動する電動機を格納する電動機ケースを有する扇風機のヘッド部と、前記電動機ケースを支持する支柱と、前記支柱を立設する支柱部を有する台座と、を備え、前記支柱が、前記電動機ケースと前記台座の前記支柱部から取り外し可能となっている扇風機において、
前記電動機ケースに、扇風機の使用時に前記支柱と接続するための第１の接続部と、扇風機の分解収納時に前記ファンを上向き状態にして前記台座の前記支柱部と接続するための第２の接続部を設けたことを特徴とする。
【０００９】
請求項２に記載の発明にあっては、前記第２の接続部は、前記電動機ケースの後側に設けられていることを特徴とする。
【００１０】
請求項３に記載の発明にあっては、前記第２の接続部に、扇風機の分解収納時に、前記第１の接続部を被冠するためのコネクタカバーが取り外し可能に装着されていることを特徴とする。
【００１１】
請求項４に記載の発明にあっては、前記電動機ケースの前記第２の接続部に前記座台の前記支柱部が接続された状態で、取り外した前記支柱が、前記座台と前記電動ケースの間に横置き状態で収まるスペースを有していることを特徴とする。
【００１２】
請求項５に記載の発明にあっては、前記支柱は、長さの異なる複数の支柱を着脱可能に接続したものであることを特徴とする。
【００１３】
請求項６に記載の発明にあっては、前記複数の支柱は、筒体の一端に小径の連結ロッド部を有し、他端に連結筒部を有し、前記連結ロッド部は、その端面に通気孔を有することを特徴とする。
【００１４】
請求項７に記載の発明にあっては、前記連結ロッド部は、その端面にコネクタ部と係合穴とが形成され、
前記連結筒部は、前記コネクタ部に対応した位置に設けられた電極と、前記係合穴に対応した位置に設けられた係合ピンとを有し、
前記コネクタ部の電極と前記連結筒部の電極が前記支柱内の配線で接続されていることを特徴とする。
【発明の効果】
【００１５】
請求項１、２、４に記載の発明によれば、扇風機のヘッド部と、支柱と、台座とを分解して収納することができ、ヘッド部や支柱によって発生する無駄なスペースを削減でき、扇風機をコンパクトに収納することが可能となる。
【００１６】
請求項３に記載の発明によれば、使用されない接続部にカバーをはめ込むことによって、ゴミなどの進入を防ぎ、誤動作などの故障の確率を低減させることが可能となる。
【００１７】
請求項５に記載の発明によれば、台座と電動機ケースとの間に長さの異なる分割可能な支柱を設けることで、扇風機の高さを調節することが可能となる。
【００１８】
請求項６に記載の発明によれば、一方の支柱の連結ロッド部と他方の支柱の連結筒部を連結することができ、連結ロッド部の複数の凸部が連通筒部の内周面に接した状態で２つの支柱を連結できるから、２つの支柱の結合状態を硬く維持することができる。また、筒体内の空気が通気孔を通じて移動可能になるので、連結ロッド部を連結筒部に差し込む時には、連結ロッド部と連結筒部との間に挟まれて圧迫された空気が通気孔を通じて筒体内に流れるので、圧縮空気による抵抗が無くなり、連結ロッド部の差し込みが容易にできる。逆に、連結ロッド部を抜き出す時には、筒体内の空気が通気孔を通じて連結ロッド部と連結筒部との間に流れ込むので、連結ロッド部と連結筒部で挟まれた空間の負圧が緩和され、連結ロッド部を連結筒部から容易に抜き取ることができる。
【００１９】
請求項７に記載の発明によれば、支柱内の配線を通じて台座とヘッド部との間を電気的に接続することが可能になり、電動機を駆動する駆動電圧や制御信号のやり取りを、台座とヘッド部との間で行うことができる。
【図面の簡単な説明】
【００２０】
【図１】本発明の第１の実施形態に係る扇風機の使用例１における全体斜視図
【図２】本発明の第１の実施形態に係る扇風機の全体背面図
【図３】本発明の第１の実施形態に係る扇風機の拡大斜視図
【図４】本発明の第１の実施形態に係る扇風機の使用例２における全体斜視図
【図５】本発明の第１の実施形態に係る扇風機の使用例３における全体斜視図
【図６】本発明の第１の実施形態に係る扇風機の使用例４における全体斜視図
【図７】本発明の第１の実施形態に係る扇風機の拡大斜視図
【図８】本発明の第１の実施形態に係る扇風機の収納時における全体斜視図
【図９】本発明の第１の実施形態に係る扇風機の拡大斜視図
【図１０】本発明の第１の実施形態に係る扇風機に用いる第１の支柱の拡大斜視図
【図１１】本発明の第１の実施形態に係る扇風機に用いる第２の支柱の拡大斜視図
【図１２】本発明の第１の変形例に係る扇風機の後側ファンガードの部分背面図
【図１３】本発明の第２の変形例に係る扇風機の後側ファンガードの部分背面図
【図１４】本発明の第１の実施形態に係る前側ファンガードを内側から見た拡大斜視図
【図１５】本発明の第２の変形例に係る扇風機の部分組立図
【図１６】本発明の第１の実施形態に係るコネクタカバーの内部拡大斜視図
【図１７】本発明の第１の実施形態に係る変形コネクタカバーの拡大斜視図
【図１８】本発明の第１の実施形態に係る変形コネクタカバーの内部拡大斜視図
【発明を実施するための形態】
【００２１】
以下に本発明の好適な実施の形態について、図面を参照しながら説明する。なお本実施形態は一例であり、これに限定されるものではない。
【００２２】
以下、本発明の一実施形態に係る扇風機について、図面を参照しながら説明する。まず、図１、図２、図３を用いて扇風機の全体構成を説明する。図１は、本発明の一実施形態に係る扇風機を組み立てた状態の全体斜視図であり、図２は同実施形態の扇風機を背面から見た全体背面図であり、図３は同実施形態の扇風機の頭部を示す部分拡大斜視図である。
【００２３】
図１は、全てのパーツを用いて組み立てた状態（第１の使用状態）の扇風機１００を示しており、扇風機１００は、台座１０、第１の支柱１２、第２の支柱１４、前側ファンガード１６、後側ファンガード１８、電動機ケース２０から構成される。そして、台座１０の支柱部１０ｂに第１の支柱１２が連結され、更に第２の支柱１４を介して電動機ケース２０の下部に設けられたケース接続部２０ｂ（第１の接続部）に連結されている。
【００２４】
図２に示すように、扇風機１００の背面には、第１のボタン１０ａ、第２のボタン１２ａ、第３のボタン１４ａが設けられており、台座１０の支柱部１０ｂに設けられた第１のボタン１０ａは、台座１０の支柱部１０ｂと第１の支柱１２の連結を解除するためのものであり、第２のボタン１２ａは第１の支柱１２と第２の支柱１４の連結を解除するためのものであり、第３のボタン１４ａは第２の支柱１４とケース接続部２０ｂの連結を解除するためのものである。なお、図２は、第１のボタン１０ａ、第２のボタン１２a、第３のボタン１４aを扇風機１００の後側に設けた事例であるが、これらのボタンを前面や側面に設けても構わない。
【００２５】
図３に示すように、電動機ケース２０の後側には、コネクタカバー２４の格納部２０ｃ（第２の接続部）が形成されており、該格納部２０ｃにコネクタカバー２４が取り外し可能に装着されている。そして、格納部２０ｃは、扇風機１００を後述するように各パーツを分解して収納する際に台座１０の支柱部１０ｂと接続されるものなので、ケース接続部２０ｂとは異なり電動機とは電気的な接続はしなくても良い。このような構成にすることにより、扇風機１００を格納した際に誤って操作パネル１０ｃを操作しても、ファンが回転することを防止している。
【００２６】
台座１０には第１の支柱１２が接続される支柱部１０ｂが立設されており、第１の支柱１２及び第２の支柱１４を介して扇風機１００のヘッド部を構成するファン５０（図１５参照）、前側ファンガード１６、後側ファンガード１８、電動機ケース２０を支えるものである。台座１０には扇風機１００の電源、風量調節、首振り動作を制御するための操作パネル１０ｃが設けられる。
【００２７】
台座１０は、円形に形成されているがこれに限定されるものではなく、扇風機１００の起立姿勢を保つ安定性を確保できるのであれば、多角形でも長方形でもどのような形状でも良い。
【００２８】
第１の支柱１２、第２の支柱１４は、分割可能に構成された支柱である。第１の支柱１２の長さは、第２の支柱１４と異なるように構成される。各支柱１２,１４の一端部には図８に示すように小径の連結ロッド部１２ｂ，１４ｂ（コネクタ）が形成されており、他端部はこの連結ロッド部１２ｂ，１４ｂが嵌挿可能な筒部となっている。また、この実施形態では、台座１０の支柱部１０ｂに小径の連結ロッド部（不図示）が形成され、電動機ケース２０には、ケース接続部２０ｂ（図８）が設けられており、支柱１２,１４の連結ロッド部１２ｂ，１４ｂが嵌挿可能になっている。なお、各支柱１２,１４、座台支柱部１０及びケース接続部２０ｂには、後述するように電極等が備えられており、互いに接続したときに通電するようになっている。
【００２９】
これにより、台座１０の支柱部１０ｂ、支柱１２，１４、ケース接続部２０ｂは相互に着脱可能に接続できるようになっており、支柱１２，１４を接続する順番を入れ替えても構わないし、どちらかの支柱のみを使用しても接続可能である。したがって、２本の支柱の長さが異なっていると、使用する支柱によって高さの調節が可能となる。例えば、図４に示すように、長さの長い第１の支柱１２を台座１０の支柱部１０ｂに連結させて、扇風機１００の高さを、支柱１２，１４を２本とも用いる場合に比べて低く設定することが可能である。また、図５に示すように、長さの短い第２の支柱１４を台座１０の支柱部１０ｂに連結させて、扇風機１００の高さを更に低く設定することができる。
【００３０】
そして、図６に示すように、第１、第２の支柱１２，１４を用いないで、台座１０の支柱部１０ｂとケース接続部２０ｂを直接接続すると、扇風機１００の高さを最も低くすることもできる。この場合、扇風機１００のヘッド部を上向きにすれば、扇風機１００は床付近に漂う冷たい空気を室内上部に吹き上げて、部屋全体の空気を掻き混ぜることができる。特に、夏季にエアコン（不図示）を用いて部屋全体を冷やす動作を行なう時に、部屋の空気を掻き混ぜて全体の空気を均一に冷やす動作に好適である。
【００３１】
なお、台座１０の支柱部１０ｂ、支柱１２，１４、ケース接続部２０ｂを相互に着脱可能に接続できるようにするための接続手段は、上述した実施形態のような嵌め込み式の構成に限定されるものではなく、例えば螺合式、スリーブ継手式、等を採用しても構わない。
【００３２】
次に、図１０及び図１１を用いて第１の実施形態に係る扇風機に用いる第１の支柱及び第２の支柱について詳細に説明する。図１０は第１の支柱の構成を示す拡大斜視図であり、図１１は第２の支柱の構成を示す拡大斜視図である。
【００３３】
図１０に示すように、第１の支柱１２は、樹脂で成形された円筒状の筒体２９で構成され、その一端が小径の連結ロッド部１２ｂとなっており、連結ロッド部１２ｂの周面には複数の凸部１２ｃが筒体２９の軸方向に形成されている。更に、筒体２９の一端にはロック機構３１ａと、そのロック機構３１ａを操作する第２のボタン１２ａが設けられており、連結ロッド部１２ｂの端面にはコネクタ部（不図示）が設けられている。そして、筒体２９の他端の連結筒部１２ｄから入り込んだ位置に仕切板３５が固定されており、その仕切板３５の所定位置に係合ピン３３ａ，３３ｂが固定されている。更に、仕切板３５の所定位置に電極３４ａ，３４ｂ，３４ｃが設けられており、仕切板３５の周縁部にロック機構３１ｂが構成されている。そして、コネクタ部の電極と電極３４ａ，３４ｂが支柱内の配線によって接続されている。なお、３４ｃは本例では使用していない電極である。
【００３４】
なお、係合ピン３３ａ，３３ｂのピン外径を少し異ならせている。また支柱１２の仕切板３５の中心Ｃ１を通る直線に対してそれら２つが1つの半円側に偏在している。
【００３５】
図１１に示すように、第２の支柱１４は、第１の支柱１２と同じように構成され、支柱の長さ以外の構成は同様である。即ち、第２の支柱１４は、樹脂で成形された円筒状の筒体３０で構成され、その一端が小径の連結ロッド部１４ｂとなっており、連結ロッド部１４ｂの周面には複数の凸部１４ｃが筒体３０の軸方向に形成されている。更に、筒体３０の一端にはロック機構３８と、そのロック機構３８を操作する第３のボタン１４ａが設けられており、連結ロッド部１４ｂの端面にはコネクタ部３６が設けられている。そして、筒体３０の他端には端部から入り込んだ位置に仕切板３５（図１０参照）が固定されており、その仕切板３５の所定位置に係合ピン３９が固定されている。また、仕切板３５の所定位置に電極が設けられており、仕切板３５の周縁部にロック機構（不図示）が構成されている。そして、コネクタ部３６の電極（不図示）と連結筒部の電極（不図示）が支柱１４内の配線によって接続されている。なお、コネクタ部３６には、支柱１２の電極３４ａ，３４ｂと接触する電極３６ａ，３６ｂが設けられている。
【００３６】
第1の支柱１２の連結筒部１２ｄ内に第２の支柱１４の連結ロッド部１４ｂを係合する場合、連結ロッド部１４ｂの周面に在る複数の凸部１４ｃが連結筒部１２ｄの内周面に接した状態で係合するため、支柱１２，１４同士の連結にぐらつきは生じない。また、凸部と凸部の間に在る凹部が連結筒部１２ｄの内周面との間に空間を形成し、その空間は空気が抜ける風路になるため、複数の凸部１４ｃが連通筒部１２ｄの内周面と密接に接していても、連結ロッド部の抜き差しが容易にできる。なお、支柱１４には、支柱１２の係合ピン３３ａ，３３ｂが挿嵌されるピン受部３２ａ、３２ｂが設けられているが、それら内径は異なり、また支柱１４の中心Ｃ２を通る直線に対してそれらは1つの半円側に偏在しているため、支柱同士の連結箇所が一致させないと嵌合できない。このため支柱１２,１４を接続したとき、電極３４ａ，３４ｂ及び電極３６ａ，３６ｂ同士が確実に接触することになる。
【００３７】
連結ロッド部１４ｂを連結筒部１２ｄに素早く嵌め込む時には、連結筒部１２ｄと連結ロッド部１４ｂとの間に在る空気が凸部と凸部の間の風路を通じて抜け出す速度が間に合わずに、空気圧が高まって抵抗が働き、連結ロッド部１４ｂを容易に嵌め込めない現象が起きる。逆に、連結ロッド部１４ｂを連結筒部１２ｄから抜き取る時、連結筒部１２ｄと連結ロッド部１４ｂとの間の空間における空気圧が低下して、吸引力による抵抗が働き、連結ロッド部１４ｂを素早く抜けないという現象が起こりうる。
【００３８】
しかし、連結ロッド部１４ｂの端面に通気孔３７を形成しているため、連結ロッド部１４ｂを連結筒部１２ｄから抜く時に、連結ロッド部１４ｂと連結筒部１２ｄとの空間の空気圧が下がれば、筒体３０内の空気が移動して空気圧の低下を抑制するから、連結ロッド部１４ｂを連結筒部１２ｄから容易に引き抜くことができる。逆に、連結ロッド部１４ｂを連結筒部１２ｄに嵌め込む時、連結ロッド部１４ｂと連結筒部１２ｄとの空間が狭くなるに従って、その空間の気圧が高まるが、空気が通気孔３７を通って筒体３０内に送られるから、気圧が実質的に上昇せず、殆ど抵抗無く連結ロッド部１４ｂを連結筒部１２ｄに容易に嵌め込むことができる。
【００３９】
次に、図１〜図３に図示された前側ファンガード１６及び後側ファンガード１８は、回転するファン５０から使用者を保護することを主目的としている。但し、前側ファンガード１６のリブは、渦巻き状に構成される。この構成によって気流が渦巻状に吹出すことになり、より遠くへ送風させる機能を有している。また、図１４に示すように前側ファンガード１６の外周内面側にマグネットを設けている。詳細には、前側ファンガード１６の外周辺にマグネット収納部１６ｂが４箇所設けられており、その中にマグネット５２が挿入固定されている。さらに、ファン５０により発生させられた気流が前側ファンガード１６や後側ファンガード１８の外周辺空間に滞留してしまい、送風力が落ちることを防止するため、前側ファンガード１６や後側ファンガード１８（１９、２１）の外周部にファン５０の回転方向に対して垂直なリブ１６ｄ（図１４参照）を数か所設けることで、前方への送風能力を高めている。
【００４０】
図３、図７、図９に示すように、後側ファンガード１８は、電動機ケース２０に接するように設けられる。すなわち、電動機ケース２０の前端側には略ラッパ状に形成された取付板２６が固定されており、該取付板２６に後側ファンガード１８が取り付けられている。後側ファンガード１８も前側ファンガード１６と同様にリブ１８ａが渦巻状に形成される。より遠くへ送風させる機能は、主に前側ファンガード１６の渦巻き形状によって発揮されるが、後側ファンガード１８は、前側ファンガード１６と比べて効果が少ないが、より効果を高めるために、渦巻き形状を採用している。なお、取付板２６の周方向には複数のスリット２６ａが開口されており、このスリット２６ａから空気が吸い込まれるようになっている。
【００４１】
次に、図１２は第１の変形例の扇風機の後側ファンガードの部分背面図であり、同図を用いて第１の変形例について詳細に説明する。同図において、後側ファンガード１９の外枠４５は円環状をしており、電動機ケース２０から放射状に延びる複数のリブ４０ａ，４０ｂに連結されて支えられている。外枠４５と同心円状と成る円環状のリブ４１が複数のリブ４０ａ，４０ｂ等を連結している。放射状の複数のリブ４０ａ，４０ｂは所定の間隔で電動機ケース２０の周囲に配置しており、それらの中間に電動機ケース２０と円環状のリブ４１を連結する短いリブ４０ｃを１本設けており、円環状のリブ４１と外枠４５の間を連結する短いリブ４０ｄを２本設けている。以上の組合せ条件で電動機ケース２０の周囲を等間隔に配置した構成になっている。
【００４２】
第１の変形例は、放射状のリブ４０ａ，４０ｂ，４０ｃ，４０ｄを用いて後側ファンガード１９を構成しているので、後側ファンガード１８で上述した実施形態のように渦巻きの気流を起こさないが、前側ファンガード１６による渦巻き気流だけでも、気流を遠くへ飛ばす働きは十分に発揮できる。第１の変形例は、渦巻き気流は実施形態を比べて幾分弱くなるが、電動機ケース２０から放射状に延びたリブ４０ａ，４０ｂと、短いリブ４０ｃ，４０ｄで補強されているため、後側ファンガード１９の形状が変形しにくいという利点がある。
【００４３】
図１５のように、後側ファンガード１９の４箇所に設けた金属板収納部１９ｂに、前側ファンガード１６のマグネット５２が磁着する金属板５４が挿入固定されている。この状態で図１４に示す前側ファンガード１６を装着する際には、前側ファンガード１６の位置決めリブ１６ａを後側ファンガード１９の位置決め部１９ａに挿入したあと、前側ファンガード１６の爪部１６ｃを後側ファンガード１９の爪部受部１９ｃに嵌め込むことで、マグネット５２の力も借りて簡単に装着できるとともに、前側ファンガード１６自体が取り外れることがない。なお、本例では後側ファンガード１９を用いた組立状況で説明したが、他のファンガードであっても同様である。
【００４４】
次に、図１３は第２の変形例の扇風機の後側ファンガードの部分背面図であり、同図を用いて第２の変形例について詳細に説明する。同図において、後側ファンガード２１の外枠４５は円環状をしており、電動機ケース２０から放射状に延びる複数のリブ４４ａ，４４ｂに連結されて支えられている。外枠４５と同心円状と成る円環状のリブ４２，４３が複数のリブ４０ａ，４０ｂ等を連結している。放射状の複数のリブ４４ａ，４４ｂは所定の間隔で電動機ケース２０の周囲に配置しており、それらの中間に電動機ケース２０と円環状のリブ４２との間を連結する短いリブ４０ｃを１本設けており、円環状のリブ４２と４３との間を連結する短いリブ４４ｄを２本設けており、円環状のリブ４３と外枠４５の間を連結する短いリブ４４ｅを３本設けている。短いリブ４４ｃ〜４４ｅを以上の組合せ条件で電動機ケース２０の周囲に等間隔に配置した構成になっている。
【００４５】
第２の変形例は、第１の変形例と同様に後側ファンガード２１で渦巻き気流を発生しない。第１の変形例よりも短いリブ４４ｃ〜４４ｅと、複数の円環状のリブ４２，４３とを用いて補強しているため、後側ファンガード２１の形状が第１の変形例に比べてより変形しにくいという利点がある。
【００４６】
電動機ケース２０は、電動機（不図示）が内蔵されている。その電動機は、電力供給によってファン５０を回転させるだけではなく、首振り動作のための駆動源として使用することも可能である。
【００４７】
図９に示すように、電動機ケース２０の上側には把手２０ａが設けられる。この把手２０ａは、扇風機１００を持ち運ぶときに用いる。また、把手２０ａは、上部が開いたＵ字状の凹部が形成されており、この凹部にリモコン２２を格納することが可能である。また、リモコン２２の底面は凹部への嵌合を良くするためにＣ面加工されている。把手２０ａは電動機ケース２０の長手方向に沿って形成されているが、長手方向と交差するように形成されていても良い。
【００４８】
リモコン２２は、台座１０上の操作パネル１０ｂに替わってある程度距離が離れた所から扇風機１００を操作するものである。リモコン２２には、操作パネル１０ｃと同様の操作をすることが可能であり、リモコン２２上の押しボタンを押下することでリモコン２２の送信部から制御信号を台座１０上に設けられる受光部に送信される。
【００４９】
リモコン２２には、電源スイッチ、風量調整スイッチ、首振り動作スイッチ、タイマスイッチなどが設けられる。押しボタンの表面には凹部が設けられていて指の腹にフィットする形状にすることで、スイッチを押下する時の押し心地が良くなる。
さらに、押しボタンの上面は誤操作を防ぐためリモコン２２の上面より低い位置に設けられる。こうすることにより、意図的にスイッチを押下する必要があるので、持った時に誤ってリモコンのスイッチを押下されることを防ぐ。
【００５０】
リモコン２２の両側面には凹部２２ａが設けられ、把手２０ａの対応する位置には凸部２０ｄが設けられる。こうすることによって、リモコン２２を把手２０ａ内に格納するときに、一定の位置でリモコン２２を固定することが可能となり、さらに簡単にリモコンが把手２０ａから外れないように保持することが可能となる。
【００５１】
リモコン２２は不使用時には把手２０ａ内に格納される。このとき、把手２０ａの凹部は、その側壁の高さよりリモコン２２の上面が低い位置になるように形成する。前述のように押しボタンは、リモコン２２上面よりも低い位置に設けられるため、リモコン２２を把手２０ａ内に格納した時に把手２０ａをもって扇風機を移動したとしても、誤ってリモコン２２の押しボタンが押されることを防ぐことができる。
【００５２】
またリモコン２２の押しボタンは、リモコン２２上面より飛び出た凸型の形状でもよいが、この場合、把手２０ａの凹部の側壁の高さをリモコン２２上の押しボタンの上面より高くすることで、前述と同様の効果を得ることができる。
【００５３】
次に使用状態について図４、図５、図６を用いて説明する。
図４は、台座１０と電動機ケース２０とを第１の支柱１２のみで接続している状態（第２の使用状態）である。図５は、台座１０と電動機ケース２０とを第２の支柱１４のみで接続している状態（第３の使用状態）である。図６は台座１０と電動機ケース２０とを直接接続している状態（第４の使用状態）である。
【００５４】
第１の支柱１２と第２の支柱１４の長さについては、第１の支柱１２＞第２の支柱１４の関係にあるため、それぞれの使用状態での高さは、第１の使用状態＞第２の使用状態＞第３の使用状態＞第４の使用状態の関係となっている。
【００５５】
次に図８を用いて扇風機１００の収納時について説明する。本発明に係わる扇風機１００は収納時には電動機ケース２０の格納部２０ｃからコネクタカバー２４を取り外し、ファン５０及びそれを収納する前後ファンガード１６,１８が上向きの状態となるように、座台１０の支柱部１０ｂの先端に電動機ケース２０の格納部２０ｃを差し込んで接続する。
【００５６】
コネクタカバー２４には指押さえ部２４ａ（図９参照）を設けているため、取り外しが容易である。取り出したコネクタカバー２４は、扇風機を収納するときには支柱が接続されるケース接続部２０ｂに取り付けられる。こうすることで、ケース接続部２０ｂの係合ピン３３ａ、３３ｂがむき出しになったままではなくコネクタカバー２４で保護されるので、ケース接続部２０ｂの接続部をゴミや水分などから保護することが可能となり、誤動作などの故障の確率を低減することが可能となる。なお、図１６はコネクタカバー２４の内部を示したもので、係合ピン受穴２４ｂ１、２４ｂ２が設けられている。また、係合ピン受穴２４ｂ１、２４ｂ２の大きさは、係合ピン３３ａ、３３ｂの外径の違いに合せて異なるため、コネクタカバー２４をケース接続部２０ｂに取り付ける際には、挿入の向きに注意する必要がある。
【００５７】
図１７、図１８は、係合ピン３３ａ、３３ｂをスムーズに嵌合しやすくするための変形コネクタカバー２５を示したものである。具体的には、筒状の外周にＵ字状の凹部２５ｃを２個所設け、凹部２５ｃの底部側に、２つの係合ピン受部２５ｂを設けている。そのため、係合ピン３３ａ、３３ｂが挿入される位置関係を確認できて取付け時の方向間違いをなくすことができる。
【００５８】
このとき、第１の支柱１２と第２の支柱１４は、分解された状態で電動機ケース２０の後面部と台座１０の上面部に生じたスペースに、横置き状態に収納される。
【００５９】
このように収納することによって、従来の支柱が伸縮自在な構成の扇風機よりも高さを低く抑えることが可能となる。また、台座１０の直径とファンガードの直径がほぼ同じであれば、扇風機収納時は円筒に近い形状で収納されるので、収納スペースに無駄な空間が従来のものよりも減少する。
【００６０】
なお、本発明は、上述した実施形態に限定されるものではなく、本発明の要旨を変えない範囲において、種々の変更、改変等が可能である。
【符号の説明】
【００６１】
１００  扇風機
１０  台座
１０ａ、１２ａ、１４ａ  解除ボタン
１０ｂ  台座支柱部
１０ｃ  操作パネル
１２  第１の支柱
１２ｂ  連結ロッド部
１４  第２の支柱
１４ｂ  連結ロッド部
１６  前側ファンガード
１６ａ  位置決めリブ
１６ｂ  マグネット収納部
１６ｃ  爪部
１６ｄ  リブ
１８、１９、２１  後側ファンガード
１８ａ  リブ
１９ａ  位置決め部
１９ｂ  金属板収納部
１９ｃ  爪部受部
２０  電動機ケース
２０ａ  把手
２０ｂ  ケース接続部
２０ｃ  格納部
２０ｄ  凸部
２２  リモコン
２２ａ  凹部
２４、２５  コネクタカバー
２４ａ、２５ａ  指押さえ部
２６  取付板
２６ａ  スリット
３５  仕切板
３６  コネクタ部
３７  通気孔
５０  ファン
５２  マグネット
５４  金属板
【手続補正書】
【提出日】平成27年1月7日(2015.1.7)
【手続補正１】
【補正対象書類名】特許請求の範囲
【補正対象項目名】全文
【補正方法】変更
【補正の内容】
【特許請求の範囲】
【請求項１】
ファン及び該ファンを駆動する電動機を格納する電動機ケースを有する扇風機のヘッド部と、前記電動機ケースを支持する支柱と、前記支柱を立設する支柱部を有する台座と、を備え、前記支柱が、前記電動機ケースと前記台座の前記支柱部から取り外し可能となっている扇風機において、
前記電動機ケースに、扇風機の使用時に前記支柱と接続するための第１の接続部と、扇風機の分解収納時に前記ファンを上向き状態にして前記台座の前記支柱部と接続するための第２の接続部を設けたことを特徴とする扇風機。
【請求項２】
前記第２の接続部は、前記電動機ケースの後側に設けられていることを特徴とする請求項１に記載の扇風機。
【請求項３】
前記第２の接続部に、扇風機の分解収納時に、前記第１の接続部を被冠するためのコネクタカバーが取り外し可能に装着されていることを特徴とする請求項１又は２に記載の扇風機。
【請求項４】
前記電動機ケースの前記第２の接続部に前記台座の前記支柱部が接続された状態で、取り外した前記支柱が、前記台座と前記電動ケースの間に横置き状態で収まるスペースを有していることを特徴とする請求項１〜３のいずれかに記載の扇風機。
【請求項５】
前記支柱は、長さの異なる複数の支柱を着脱可能に接続したものであることを特徴とする請求項１〜４のいずれかに記載の扇風機。
【請求項６】
前記複数の支柱は、筒体の一端に小径の連結ロッド部を有し、他端に連結筒部を有し、前記連結ロッド部は、その端面に通気孔を有することを特徴とする請求項５に記載の扇風機。
【請求項７】
前記連結ロッド部は、その端面にコネクタ部と係合穴とが形成され、
前記連結筒部は、前記コネクタ部に対応した位置に設けられた電極と、前記係合穴に対応した位置に設けられた係合ピンとを有し、
前記コネクタ部の電極と前記連結筒部の電極が前記支柱内の配線で接続されていることを特徴とする請求項６に記載の扇風機。
【手続補正２】
【補正対象書類名】明細書
【補正対象項目名】全文
【補正方法】変更
【補正の内容】
【発明の詳細な説明】
【技術分野】
【０００１】
本発明は、分解組立可能な扇風機に関する。
【背景技術】
【０００２】
扇風機は、基本的に台座から延びる支柱と支柱の上に設置される電動機ケース、ファンガードから構成されている。このような扇風機を使用状態のままで外装箱内に収納すると、台座とファンガードとを接続する支柱部分が長いため、ファンガードと台座との間に無駄な空間が生じて、収納した外装箱の大きさが大きくなり、効率的な運搬が困難になる。
【０００３】
また、冬季などの使用頻度の低い時期には、扇風機を物置等に収納することになるが、収納時においても運搬時と同様に無駄な空間が生じ、物置等の限られた収納スペースを有効に活用できずに、その他の収納物を置くのに邪魔になるという不便さが生じる。
【０００４】
このような事情から、無駄なスペースを減らすための工夫が色々と提案されている。
例えば、特許文献１には、ファンガードとファンを本体から分解し、本体はネック部からモータ部を曲げるとともに伸縮可能な支柱を縮めた状態で、緩衝体を利用した外箱に梱包される扇風機が開示されている。
【０００５】
これによれば、扇風機頭部をネック部より曲げて収納して収納時の高さを低くすることにより、外装箱の高さを低くできることが可能となり運搬が容易になる。
【先行技術文献】
【特許文献】
【０００６】
【特許文献１】特開平６−３１２７６７号公報
【発明の概要】
【発明が解決しようとする課題】
【０００７】
しかし、上記の外装箱を用いて扇風機を収納するとなると、外装箱を保管しておく必要があり、扇風機を使用する時は空の外装箱を収納しておくスペースが必要となる。また、扇風機のモータ部を折り曲げ、支柱を縮めたとしても支柱の長さは構造上２分の１までしか縮めることができない。したがって収納サイズをコンパクトにするにも限界があり、外装箱を立てた状態で保管しようとすると高さ方向に余裕のある収納スペースを使用する必要があり、外装箱を寝かせた状態で保管しようとすると、広範囲のスペースを必要とする。
本発明は、以上のような課題を解決するため鋭意検討した結果なされたものであり、複数のパーツに分解組立が可能であり、かつ不使用時には小さな収納スペースでも収納可能な扇風機を提供するものである。
【課題を解決するための手段】
【０００８】
上記課題を解決するため、請求項１に記載の発明にあっては、ファン及び該ファンを駆動する電動機を格納する電動機ケースを有する扇風機のヘッド部と、前記電動機ケースを支持する支柱と、前記支柱を立設する支柱部を有する台座と、を備え、前記支柱が、前記電動機ケースと前記台座の前記支柱部から取り外し可能となっている扇風機において、
前記電動機ケースに、扇風機の使用時に前記支柱と接続するための第１の接続部と、扇風機の分解収納時に前記ファンを上向き状態にして前記台座の前記支柱部と接続するための第２の接続部を設けたことを特徴とする。
【０００９】
請求項２に記載の発明にあっては、前記第２の接続部は、前記電動機ケースの後側に設けられていることを特徴とする。
【００１０】
請求項３に記載の発明にあっては、前記第２の接続部に、扇風機の分解収納時に、前記第１の接続部を被冠するためのコネクタカバーが取り外し可能に装着されていることを特徴とする。
【００１１】
請求項４に記載の発明にあっては、前記電動機ケースの前記第２の接続部に前記台座の前記支柱部が接続された状態で、取り外した前記支柱が、前記台座と前記電動ケースの間に横置き状態で収まるスペースを有していることを特徴とする。
【００１２】
請求項５に記載の発明にあっては、前記支柱は、長さの異なる複数の支柱を着脱可能に接続したものであることを特徴とする。
【００１３】
請求項６に記載の発明にあっては、前記複数の支柱は、筒体の一端に小径の連結ロッド部を有し、他端に連結筒部を有し、前記連結ロッド部は、その端面に通気孔を有することを特徴とする。
【００１４】
請求項７に記載の発明にあっては、前記連結ロッド部は、その端面にコネクタ部と係合穴とが形成され、
前記連結筒部は、前記コネクタ部に対応した位置に設けられた電極と、前記係合穴に対応した位置に設けられた係合ピンとを有し、
前記コネクタ部の電極と前記連結筒部の電極が前記支柱内の配線で接続されていることを特徴とする。
【発明の効果】
【００１５】
請求項１、２、４に記載の発明によれば、扇風機のヘッド部と、支柱と、台座とを分解して収納することができ、ヘッド部や支柱によって発生する無駄なスペースを削減でき、扇風機をコンパクトに収納することが可能となる。
【００１６】
請求項３に記載の発明によれば、使用されない接続部にカバーをはめ込むことによって、ゴミなどの進入を防ぎ、誤動作などの故障の確率を低減させることが可能となる。
【００１７】
請求項５に記載の発明によれば、台座と電動機ケースとの間に長さの異なる分割可能な支柱を設けることで、扇風機の高さを調節することが可能となる。
【００１８】
請求項６に記載の発明によれば、一方の支柱の連結ロッド部と他方の支柱の連結筒部を連結することができ、連結ロッド部の複数の凸部が連通筒部の内周面に接した状態で２つの支柱を連結できるから、２つの支柱の結合状態を硬く維持することができる。また、筒体内の空気が通気孔を通じて移動可能になるので、連結ロッド部を連結筒部に差し込む時には、連結ロッド部と連結筒部との間に挟まれて圧迫された空気が通気孔を通じて筒体内に流れるので、圧縮空気による抵抗が無くなり、連結ロッド部の差し込みが容易にできる。逆に、連結ロッド部を抜き出す時には、筒体内の空気が通気孔を通じて連結ロッド部と連結筒部との間に流れ込むので、連結ロッド部と連結筒部で挟まれた空間の負圧が緩和され、連結ロッド部を連結筒部から容易に抜き取ることができる。
【００１９】
請求項７に記載の発明によれば、支柱内の配線を通じて台座とヘッド部との間を電気的に接続することが可能になり、電動機を駆動する駆動電圧や制御信号のやり取りを、台座とヘッド部との間で行うことができる。
【図面の簡単な説明】
【００２０】
【図１】本発明の第１の実施形態に係る扇風機の使用例１における全体斜視図
【図２】本発明の第１の実施形態に係る扇風機の全体背面図
【図３】本発明の第１の実施形態に係る扇風機の拡大斜視図
【図４】本発明の第１の実施形態に係る扇風機の使用例２における全体斜視図
【図５】本発明の第１の実施形態に係る扇風機の使用例３における全体斜視図
【図６】本発明の第１の実施形態に係る扇風機の使用例４における全体斜視図
【図７】本発明の第１の実施形態に係る扇風機の拡大斜視図
【図８】本発明の第１の実施形態に係る扇風機の収納時における全体斜視図
【図９】本発明の第１の実施形態に係る扇風機の拡大斜視図
【図１０】本発明の第１の実施形態に係る扇風機に用いる第１の支柱の拡大斜視図
【図１１】本発明の第１の実施形態に係る扇風機に用いる第２の支柱の拡大斜視図
【図１２】本発明の第１の変形例に係る扇風機の後側ファンガードの部分背面図
【図１３】本発明の第２の変形例に係る扇風機の後側ファンガードの部分背面図
【図１４】本発明の第１の実施形態に係る前側ファンガードを内側から見た拡大斜視図
【図１５】本発明の第２の変形例に係る扇風機の部分組立図
【図１６】本発明の第１の実施形態に係るコネクタカバーの内部拡大斜視図
【図１７】本発明の第１の実施形態に係る変形コネクタカバーの拡大斜視図
【図１８】本発明の第１の実施形態に係る変形コネクタカバーの内部拡大斜視図
【発明を実施するための形態】
【００２１】
以下に本発明の好適な実施の形態について、図面を参照しながら説明する。なお本実施形態は一例であり、これに限定されるものではない。
【００２２】
以下、本発明の一実施形態に係る扇風機について、図面を参照しながら説明する。まず、図１、図２、図３を用いて扇風機の全体構成を説明する。図１は、本発明の一実施形態に係る扇風機を組み立てた状態の全体斜視図であり、図２は同実施形態の扇風機を背面から見た全体背面図であり、図３は同実施形態の扇風機の頭部を示す部分拡大斜視図である。
【００２３】
図１は、全てのパーツを用いて組み立てた状態（第１の使用状態）の扇風機１００を示しており、扇風機１００は、台座１０、第１の支柱１２、第２の支柱１４、前側ファンガード１６、後側ファンガード１８、電動機ケース２０から構成される。そして、台座１０の支柱部１０ｂに第１の支柱１２が連結され、更に第２の支柱１４を介して電動機ケース２０の下部に設けられたケース接続部２０ｂ（第１の接続部）に連結されている。
【００２４】
図２に示すように、扇風機１００の背面には、第１のボタン１０ａ、第２のボタン１２ａ、第３のボタン１４ａが設けられており、台座１０の支柱部１０ｂに設けられた第１のボタン１０ａは、台座１０の支柱部１０ｂと第１の支柱１２の連結を解除するためのものであり、第２のボタン１２ａは第１の支柱１２と第２の支柱１４の連結を解除するためのものであり、第３のボタン１４ａは第２の支柱１４とケース接続部２０ｂの連結を解除するためのものである。なお、図２は、第１のボタン１０ａ、第２のボタン１２a、第３のボタン１４aを扇風機１００の後側に設けた事例であるが、これらのボタンを前面や側面に設けても構わない。
【００２５】
図３に示すように、電動機ケース２０の後側には、コネクタカバー２４の格納部２０ｃ（第２の接続部）が形成されており、該格納部２０ｃにコネクタカバー２４が取り外し可能に装着されている。そして、格納部２０ｃは、扇風機１００を後述するように各パーツを分解して収納する際に台座１０の支柱部１０ｂと接続されるものなので、ケース接続部２０ｂとは異なり電動機とは電気的な接続はしなくても良い。このような構成にすることにより、扇風機１００を格納した際に誤って操作パネル１０ｃを操作しても、ファンが回転することを防止している。
【００２６】
台座１０には第１の支柱１２が接続される支柱部１０ｂが立設されており、第１の支柱１２及び第２の支柱１４を介して扇風機１００のヘッド部を構成するファン５０（図１５参照）、前側ファンガード１６、後側ファンガード１８、電動機ケース２０を支えるものである。台座１０には扇風機１００の電源、風量調節、首振り動作を制御するための操作パネル１０ｃが設けられる。
【００２７】
台座１０は、円形に形成されているがこれに限定されるものではなく、扇風機１００の起立姿勢を保つ安定性を確保できるのであれば、多角形でも長方形でもどのような形状でも良い。
【００２８】
第１の支柱１２、第２の支柱１４は、分割可能に構成された支柱である。第１の支柱１２の長さは、第２の支柱１４と異なるように構成される。各支柱１２,１４の一端部には図８に示すように小径の連結ロッド部１２ｂ，１４ｂ（コネクタ）が形成されており、他端部はこの連結ロッド部１２ｂ，１４ｂが嵌挿可能な筒部となっている。また、この実施形態では、台座１０の支柱部１０ｂに小径の連結ロッド部（不図示）が形成され、電動機ケース２０には、ケース接続部２０ｂ（図８）が設けられており、支柱１２,１４の連結ロッド部１２ｂ，１４ｂが嵌挿可能になっている。なお、各支柱１２,１４、台座支柱部１０ｂ及びケース接続部２０ｂには、後述するように電極等が備えられており、互いに接続したときに通電するようになっている。
【００２９】
これにより、台座１０の支柱部１０ｂ、支柱１２，１４、ケース接続部２０ｂは相互に着脱可能に接続できるようになっており、支柱１２，１４を接続する順番を入れ替えても構わないし、どちらかの支柱のみを使用しても接続可能である。したがって、２本の支柱の長さが異なっていると、使用する支柱によって高さの調節が可能となる。例えば、図４に示すように、長さの長い第１の支柱１２を台座１０の支柱部１０ｂに連結させて、扇風機１００の高さを、支柱１２，１４を２本とも用いる場合に比べて低く設定することが可能である。また、図５に示すように、長さの短い第２の支柱１４を台座１０の支柱部１０ｂに連結させて、扇風機１００の高さを更に低く設定することができる。
【００３０】
そして、図６に示すように、第１、第２の支柱１２，１４を用いないで、台座１０の支柱部１０ｂとケース接続部２０ｂを直接接続すると、扇風機１００の高さを最も低くすることもできる。この場合、扇風機１００のヘッド部を上向きにすれば、扇風機１００は床付近に漂う冷たい空気を室内上部に吹き上げて、部屋全体の空気を掻き混ぜることができる。特に、夏季にエアコン（不図示）を用いて部屋全体を冷やす動作を行なう時に、部屋の空気を掻き混ぜて全体の空気を均一に冷やす動作に好適である。
【００３１】
なお、台座１０の支柱部１０ｂ、支柱１２，１４、ケース接続部２０ｂを相互に着脱可能に接続できるようにするための接続手段は、上述した実施形態のような嵌め込み式の構成に限定されるものではなく、例えば螺合式、スリーブ継手式、等を採用しても構わない。
【００３２】
次に、図１０及び図１１を用いて第１の実施形態に係る扇風機に用いる第１の支柱及び第２の支柱について詳細に説明する。図１０は第１の支柱の構成を示す拡大斜視図であり、図１１は第２の支柱の構成を示す拡大斜視図である。
【００３３】
図１０に示すように、第１の支柱１２は、樹脂で成形された円筒状の筒体２９で構成され、その一端が小径の連結ロッド部１２ｂとなっており、連結ロッド部１２ｂの周面には複数の凸部１２ｃが筒体２９の軸方向に形成されている。更に、筒体２９の一端にはロック機構３１ａと、そのロック機構３１ａを操作する第２のボタン１２ａが設けられており、連結ロッド部１２ｂの端面にはコネクタ部（不図示）が設けられている。そして、筒体２９の他端の連結筒部１２ｄから入り込んだ位置に仕切板３５が固定されており、その仕切板３５の所定位置に係合ピン３３ａ，３３ｂが固定されている。更に、仕切板３５の所定位置に電極３４ａ，３４ｂ，３４ｃが設けられており、仕切板３５の周縁部にロック機構３１ｂが構成されている。そして、コネクタ部の電極と電極３４ａ，３４ｂが支柱内の配線によって接続されている。なお、３４ｃは本例では使用していない電極である。
【００３４】
なお、係合ピン３３ａ，３３ｂのピン外径を少し異ならせている。また支柱１２の仕切板３５の中心Ｃ１を通る直線に対してそれら２つが1つの半円側に偏在している。
【００３５】
図１１に示すように、第２の支柱１４は、第１の支柱１２と同じように構成され、支柱の長さ以外の構成は同様である。即ち、第２の支柱１４は、樹脂で成形された円筒状の筒体３０で構成され、その一端が小径の連結ロッド部１４ｂとなっており、連結ロッド部１４ｂの周面には複数の凸部１４ｃが筒体３０の軸方向に形成されている。更に、筒体３０の一端にはロック機構３８と、そのロック機構３８を操作する第３のボタン１４ａが設けられており、連結ロッド部１４ｂの端面にはコネクタ部３６が設けられている。そして、筒体３０の他端には端部から入り込んだ位置に仕切板３５（図１０参照）が固定されており、その仕切板３５の所定位置に係合ピン３９が固定されている。また、仕切板３５の所定位置に電極が設けられており、仕切板３５の周縁部にロック機構（不図示）が構成されている。そして、コネクタ部３６の電極（不図示）と連結筒部の電極（不図示）が支柱１４内の配線によって接続されている。なお、コネクタ部３６には、支柱１２の電極３４ａ，３４ｂと接触する電極３６ａ，３６ｂが設けられている。
【００３６】
第1の支柱１２の連結筒部１２ｄ内に第２の支柱１４の連結ロッド部１４ｂを係合する場合、連結ロッド部１４ｂの周面に在る複数の凸部１４ｃが連結筒部１２ｄの内周面に接した状態で係合するため、支柱１２，１４同士の連結にぐらつきは生じない。また、凸部と凸部の間に在る凹部が連結筒部１２ｄの内周面との間に空間を形成し、その空間は空気が抜ける風路になるため、複数の凸部１４ｃが連通筒部１２ｄの内周面と密接に接していても、連結ロッド部の抜き差しが容易にできる。なお、支柱１４には、支柱１２の係合ピン３３ａ，３３ｂが挿嵌されるピン受部３２ａ、３２ｂが設けられているが、それら内径は異なり、また支柱１４の中心Ｃ２を通る直線に対してそれらは1つの半円側に偏在しているため、支柱同士の連結箇所が一致させないと嵌合できない。このため支柱１２,１４を接続したとき、電極３４ａ，３４ｂ及び電極３６ａ，３６ｂ同士が確実に接触することになる。
【００３７】
連結ロッド部１４ｂを連結筒部１２ｄに素早く嵌め込む時には、連結筒部１２ｄと連結ロッド部１４ｂとの間に在る空気が凸部と凸部の間の風路を通じて抜け出す速度が間に合わずに、空気圧が高まって抵抗が働き、連結ロッド部１４ｂを容易に嵌め込めない現象が起きる。逆に、連結ロッド部１４ｂを連結筒部１２ｄから抜き取る時、連結筒部１２ｄと連結ロッド部１４ｂとの間の空間における空気圧が低下して、吸引力による抵抗が働き、連結ロッド部１４ｂを素早く抜けないという現象が起こりうる。
【００３８】
しかし、連結ロッド部１４ｂの端面に通気孔３７を形成しているため、連結ロッド部１４ｂを連結筒部１２ｄから抜く時に、連結ロッド部１４ｂと連結筒部１２ｄとの空間の空気圧が下がれば、筒体３０内の空気が移動して空気圧の低下を抑制するから、連結ロッド部１４ｂを連結筒部１２ｄから容易に引き抜くことができる。逆に、連結ロッド部１４ｂを連結筒部１２ｄに嵌め込む時、連結ロッド部１４ｂと連結筒部１２ｄとの空間が狭くなるに従って、その空間の気圧が高まるが、空気が通気孔３７を通って筒体３０内に送られるから、気圧が実質的に上昇せず、殆ど抵抗無く連結ロッド部１４ｂを連結筒部１２ｄに容易に嵌め込むことができる。
【００３９】
次に、図１〜図３に図示された前側ファンガード１６及び後側ファンガード１８は、回転するファン５０から使用者を保護することを主目的としている。但し、前側ファンガード１６のリブは、渦巻き状に構成される。この構成によって気流が渦巻状に吹出すことになり、より遠くへ送風させる機能を有している。また、図１４に示すように前側ファンガード１６の外周内面側にマグネットを設けている。詳細には、前側ファンガード１６の外周辺にマグネット収納部１６ｂが４箇所設けられており、その中にマグネット５２が挿入固定されている。さらに、ファン５０により発生させられた気流が前側ファンガード１６や後側ファンガード１８の外周辺空間に滞留してしまい、送風力が落ちることを防止するため、前側ファンガード１６や後側ファンガード１８（１９、２１）の外周部にファン５０の回転方向に対して垂直なリブ１６ｄ（図１４参照）を数か所設けることで、前方への送風能力を高めている。
【００４０】
図３、図７、図９に示すように、後側ファンガード１８は、電動機ケース２０に接するように設けられる。すなわち、電動機ケース２０の前端側には略ラッパ状に形成された取付板２６が固定されており、該取付板２６に後側ファンガード１８が取り付けられている。後側ファンガード１８も前側ファンガード１６と同様にリブ１８ａが渦巻状に形成される。より遠くへ送風させる機能は、主に前側ファンガード１６の渦巻き形状によって発揮されるが、後側ファンガード１８は、前側ファンガード１６と比べて効果が少ないが、より効果を高めるために、渦巻き形状を採用している。なお、取付板２６の周方向には複数のスリット２６ａが開口されており、このスリット２６ａから空気が吸い込まれるようになっている。
【００４１】
次に、図１２は第１の変形例の扇風機の後側ファンガードの部分背面図であり、同図を用いて第１の変形例について詳細に説明する。同図において、後側ファンガード１９の外枠４５は円環状をしており、電動機ケース２０から放射状に延びる複数のリブ４０ａ，４０ｂに連結されて支えられている。外枠４５と同心円状と成る円環状のリブ４１が複数のリブ４０ａ，４０ｂ等を連結している。放射状の複数のリブ４０ａ，４０ｂは所定の間隔で電動機ケース２０の周囲に配置しており、それらの中間に電動機ケース２０と円環状のリブ４１を連結する短いリブ４０ｃを１本設けており、円環状のリブ４１と外枠４５の間を連結する短いリブ４０ｄを２本設けている。以上の組合せ条件で電動機ケース２０の周囲を等間隔に配置した構成になっている。
【００４２】
第１の変形例は、放射状のリブ４０ａ，４０ｂ，４０ｃ，４０ｄを用いて後側ファンガード１９を構成しているので、後側ファンガード１８で上述した実施形態のように渦巻きの気流を起こさないが、前側ファンガード１６による渦巻き気流だけでも、気流を遠くへ飛ばす働きは十分に発揮できる。第１の変形例は、渦巻き気流は実施形態を比べて幾分弱くなるが、電動機ケース２０から放射状に延びたリブ４０ａ，４０ｂと、短いリブ４０ｃ，４０ｄで補強されているため、後側ファンガード１９の形状が変形しにくいという利点がある。
【００４３】
図１５のように、後側ファンガード１９の４箇所に設けた金属板収納部１９ｂに、前側ファンガード１６のマグネット５２が磁着する金属板５４が挿入固定されている。この状態で図１４に示す前側ファンガード１６を装着する際には、前側ファンガード１６の位置決めリブ１６ａを後側ファンガード１９の位置決め部１９ａに挿入したあと、前側ファンガード１６の爪部１６ｃを後側ファンガード１９の爪部受部１９ｃに嵌め込むことで、マグネット５２の力も借りて簡単に装着できるとともに、前側ファンガード１６自体が取り外れることがない。なお、本例では後側ファンガード１９を用いた組立状況で説明したが、他のファンガードであっても同様である。
【００４４】
次に、図１３は第２の変形例の扇風機の後側ファンガードの部分背面図であり、同図を用いて第２の変形例について詳細に説明する。同図において、後側ファンガード２１の外枠４５は円環状をしており、電動機ケース２０から放射状に延びる複数のリブ４４ａ，４４ｂに連結されて支えられている。外枠４５と同心円状と成る円環状のリブ４２，４３が複数のリブ４０ａ，４０ｂ等を連結している。放射状の複数のリブ４４ａ，４４ｂは所定の間隔で電動機ケース２０の周囲に配置しており、それらの中間に電動機ケース２０と円環状のリブ４２との間を連結する短いリブ４０ｃを１本設けており、円環状のリブ４２と４３との間を連結する短いリブ４４ｄを２本設けており、円環状のリブ４３と外枠４５の間を連結する短いリブ４４ｅを３本設けている。短いリブ４４ｃ〜４４ｅを以上の組合せ条件で電動機ケース２０の周囲に等間隔に配置した構成になっている。
【００４５】
第２の変形例は、第１の変形例と同様に後側ファンガード２１で渦巻き気流を発生しない。第１の変形例よりも短いリブ４４ｃ〜４４ｅと、複数の円環状のリブ４２，４３とを用いて補強しているため、後側ファンガード２１の形状が第１の変形例に比べてより変形しにくいという利点がある。
【００４６】
電動機ケース２０は、電動機（不図示）が内蔵されている。その電動機は、電力供給によってファン５０を回転させるだけではなく、首振り動作のための駆動源として使用することも可能である。
【００４７】
図９に示すように、電動機ケース２０の上側には把手２０ａが設けられる。この把手２０ａは、扇風機１００を持ち運ぶときに用いる。また、把手２０ａは、上部が開いたＵ字状の凹部が形成されており、この凹部にリモコン２２を格納することが可能である。また、リモコン２２の底面は凹部への嵌合を良くするためにＣ面加工されている。把手２０ａは電動機ケース２０の長手方向に沿って形成されているが、長手方向と交差するように形成されていても良い。
【００４８】
リモコン２２は、台座１０上の操作パネル１０ｂに替わってある程度距離が離れた所から扇風機１００を操作するものである。リモコン２２には、操作パネル１０ｃと同様の操作をすることが可能であり、リモコン２２上の押しボタンを押下することでリモコン２２の送信部から制御信号を台座１０上に設けられる受光部に送信される。
【００４９】
リモコン２２には、電源スイッチ、風量調整スイッチ、首振り動作スイッチ、タイマスイッチなどが設けられる。押しボタンの表面には凹部が設けられていて指の腹にフィットする形状にすることで、スイッチを押下する時の押し心地が良くなる。
さらに、押しボタンの上面は誤操作を防ぐためリモコン２２の上面より低い位置に設けられる。こうすることにより、意図的にスイッチを押下する必要があるので、持った時に誤ってリモコンのスイッチを押下されることを防ぐ。
【００５０】
リモコン２２の両側面には凹部２２ａが設けられ、把手２０ａの対応する位置には凸部２０ｄが設けられる。こうすることによって、リモコン２２を把手２０ａ内に格納するときに、一定の位置でリモコン２２を固定することが可能となり、さらに簡単にリモコンが把手２０ａから外れないように保持することが可能となる。
【００５１】
リモコン２２は不使用時には把手２０ａ内に格納される。このとき、把手２０ａの凹部は、その側壁の高さよりリモコン２２の上面が低い位置になるように形成する。前述のように押しボタンは、リモコン２２上面よりも低い位置に設けられるため、リモコン２２を把手２０ａ内に格納した時に把手２０ａをもって扇風機を移動したとしても、誤ってリモコン２２の押しボタンが押されることを防ぐことができる。
【００５２】
またリモコン２２の押しボタンは、リモコン２２上面より飛び出た凸型の形状でもよいが、この場合、把手２０ａの凹部の側壁の高さをリモコン２２上の押しボタンの上面より高くすることで、前述と同様の効果を得ることができる。
【００５３】
次に使用状態について図４、図５、図６を用いて説明する。
図４は、台座１０と電動機ケース２０とを第１の支柱１２のみで接続している状態（第２の使用状態）である。図５は、台座１０と電動機ケース２０とを第２の支柱１４のみで接続している状態（第３の使用状態）である。図６は台座１０と電動機ケース２０とを直接接続している状態（第４の使用状態）である。
【００５４】
第１の支柱１２と第２の支柱１４の長さについては、第１の支柱１２＞第２の支柱１４の関係にあるため、それぞれの使用状態での高さは、第１の使用状態＞第２の使用状態＞第３の使用状態＞第４の使用状態の関係となっている。
【００５５】
次に図８を用いて扇風機１００の収納時について説明する。本発明に係わる扇風機１００は収納時には電動機ケース２０の格納部２０ｃからコネクタカバー２４を取り外し、ファン５０及びそれを収納する前後ファンガード１６,１８が上向きの状態となるように、台座１０の支柱部１０ｂの先端に電動機ケース２０の格納部２０ｃを差し込んで接続する。
【００５６】
コネクタカバー２４には指押さえ部２４ａ（図９参照）を設けているため、取り外しが容易である。取り出したコネクタカバー２４は、扇風機を収納するときには支柱が接続されるケース接続部２０ｂに取り付けられる。こうすることで、ケース接続部２０ｂの係合ピン３３ａ、３３ｂがむき出しになったままではなくコネクタカバー２４で保護されるので、ケース接続部２０ｂの接続部をゴミや水分などから保護することが可能となり、誤動作などの故障の確率を低減することが可能となる。なお、図１６はコネクタカバー２４の内部を示したもので、係合ピン受穴２４ｂ１、２４ｂ２が設けられている。また、係合ピン受穴２４ｂ１、２４ｂ２の大きさは、係合ピン３３ａ、３３ｂの外径の違いに合せて異なるため、コネクタカバー２４をケース接続部２０ｂに取り付ける際には、挿入の向きに注意する必要がある。
【００５７】
図１７、図１８は、係合ピン３３ａ、３３ｂをスムーズに嵌合しやすくするための変形コネクタカバー２５を示したものである。具体的には、筒状の外周にＵ字状の凹部２５ｃを２個所設け、凹部２５ｃの底部側に、２つの係合ピン受部２５ｂを設けている。そのため、係合ピン３３ａ、３３ｂが挿入される位置関係を確認できて取付け時の方向間違いをなくすことができる。
【００５８】
このとき、第１の支柱１２と第２の支柱１４は、分解された状態で電動機ケース２０の後面部と台座１０の上面部に生じたスペースに、横置き状態に収納される。
【００５９】
このように収納することによって、従来の支柱が伸縮自在な構成の扇風機よりも高さを低く抑えることが可能となる。また、台座１０の直径とファンガードの直径がほぼ同じであれば、扇風機収納時は円筒に近い形状で収納されるので、収納スペースに無駄な空間が従来のものよりも減少する。
【００６０】
なお、本発明は、上述した実施形態に限定されるものではなく、本発明の要旨を変えない範囲において、種々の変更、改変等が可能である。
【符号の説明】
【００６１】
１００  扇風機
１０  台座
１０ａ、１２ａ、１４ａ  解除ボタン
１０ｂ  台座支柱部
１０ｃ  操作パネル
１２  第１の支柱
１２ｂ  連結ロッド部
１４  第２の支柱
１４ｂ  連結ロッド部
１６  前側ファンガード
１６ａ  位置決めリブ
１６ｂ  マグネット収納部
１６ｃ  爪部
１６ｄ  リブ
１８、１９、２１  後側ファンガード
１８ａ  リブ
１９ａ  位置決め部
１９ｂ  金属板収納部
１９ｃ  爪部受部
２０  電動機ケース
２０ａ  把手
２０ｂ  ケース接続部
２０ｃ  格納部
２０ｄ  凸部
２２  リモコン
２２ａ  凹部
２４、２５  コネクタカバー
２４ａ、２５ａ  指押さえ部
２６  取付板
２６ａ  スリット
３５  仕切板
３６  コネクタ部
３７  通気孔
５０  ファン
５２  マグネット
５４  金属板